(57)【特許請求の範囲】
【請求項１】
容器本体の口部に装着される装着キャップと、
前記装着キャップから下方に向けて延在し、その下端開口部が前記容器本体内に連通する主シリンダと、
前記主シリンダの加圧時に前記主シリンダ内と前記容器本体内との連通を遮断し、かつ前記主シリンダ内の減圧時に前記主シリンダ内と前記容器本体内とを連通させる下部弁体と、
前記主シリンダから上方付勢状態で下方移動可能に立設されたプランジャ体と、
内容物が吐出される吐出孔が形成された押下ヘッドと、
前記押下ヘッドが装着された上部筒体、及び前記プランジャ体の上端部が内側に下方移動可能に収容され、前記プランジャ体の連通路を通して前記主シリンダ内に連通する下部筒体を有するとともに、前記上部筒体内と前記下部筒体内とを連通する連通孔が形成された副シリンダと、を備え、
前記プランジャ体は、
前記主シリンダ内に下方移動可能に嵌合された主ピストンと、
前記下部筒体内に下方移動可能に嵌合された副ピストンと、
前記連通孔を前記連通孔の下側から閉塞する上部弁体と、を備え、
前記装着キャップは、前記副シリンダの前記下部筒体が下方移動可能に挿入された案内筒を備え、
前記案内筒には、径方向の内側に向けて突出する係止突起が形成され、
前記下部筒体は、
前記案内筒内に挿入された挿入筒と、
前記挿入筒の下端部から径方向の外側に向けて突出するとともに、前記係止突起の下面に係止される抜け止め部と、を備え、
前記下部筒体の外周面には、前記抜け止め部の上面を回避して上下方向における前記下部筒体の上端部から下端部に至る縦リブが、周方向に間隔をあけて複数形成され、
前記縦リブは、
前記抜け止め部の外周面に形成され、前記案内筒のうち前記係止突起よりも下方に位置する部分に径方向で対向する下縦リブと、
前記挿入筒の外周面に形成され、前記案内筒の前記係止突起に径方向で対向する上縦リブと、を備えていることを特徴とする蓄圧式吐出器。
【請求項２】
前記副シリンダが最下端位置にあるとき、前記縦リブの全体が前記案内筒の内周面に径方向で対向していることを特徴とする請求項１に記載の蓄圧式吐出器。
【発明の詳細な説明】
【技術分野】
【０００１】
本発明は、蓄圧式吐出器に関する。
【背景技術】
【０００２】
容器本体の口部に取り付けられる蓄圧式吐出器（以下、単に吐出器という。）として、吐出孔が形成された押下ヘッドと、容器本体内に連通可能な主シリンダと、吐出孔に連通可能な副シリンダと、主シリンダ内及び副シリンダ内を移動可能に嵌合されるとともに、主シリンダ内及び副シリンダ内を連通する連通路が形成されたプランジャ体と、を備える構成が知られている（例えば、下記特許文献１参照）。下記特許文献１において、副シリンダは、口部に装着される装着キャップの案内筒内に移動可能に挿入され、押下ヘッドの押し下げ操作に伴いプランジャ体とともに下降する。
【０００３】
上述した吐出器を用いて内容物を吐出するには、まず押下ヘッドを押し下げる。すると、副シリンダ及びプランジャ体が主シリンダに対して下降することで、主シリンダ内が加圧され、主シリンダ内の内容物が連通路を通して副シリンダ内に流入する。そして、副シリンダ内への内容物の流入により副シリンダ内が加圧（蓄圧）されると、副シリンダに対してプランジャ体が下降する。これにより、副シリンダ内と吐出孔とが連通する。その結果、内容物が吐出孔を通して外部に吐出される。
【先行技術文献】
【特許文献】
【０００４】
【特許文献１】実開昭６０−１７１５７５号公報
【発明の概要】
【発明が解決しようとする課題】
【０００５】
ところで、上述した吐出器では、内容物が浸透して各部材が膨潤する場合がある。この場合、特に副シリンダは案内筒内に移動可能に挿入されているため、副シリンダに内容物が浸透して副シリンダが径方向に膨らむことで、副シリンダの外周面と案内筒の内周面との隙間が狭くなる。その結果、副シリンダの移動時における副シリンダと案内筒との摺動抵抗が大きくなり、副シリンダの移動がスムーズに行えないおそれがある。
【０００６】
一方で、副シリンダの外周面と案内筒の内周面との隙間を予め大きくすると、膨潤前の状態において案内筒内での副シリンダのがたつきが生じるおそれがある。また、案内筒内で副シリンダががたつくことで、プランジャ体と副シリンダとの間のシール性を確保できず、プランジャ体の外周面と副シリンダの内周面との間の隙間を通して内容物が漏れるおそれがある。
【０００７】
そこで、本発明は、上述した事情に鑑みてなされたものであって、プランジャ体と副シリンダとの間のシール性を確保した上で、副シリンダの操作性を長期に亘って維持できる蓄圧式吐出器を提供することを目的とする。
【課題を解決するための手段】
【０００８】
上記課題を解決するために、本発明は以下の手段を提案している。
本発明に係る蓄圧式吐出器は、容器本体の口部に装着される装着キャップと、前記装着キャップから下方に向けて延在し、その下端開口部が前記容器本体内に連通する主シリンダと、前記主シリンダの加圧時に前記主シリンダ内と前記容器本体内との連通を遮断し、かつ前記主シリンダ内の減圧時に前記主シリンダ内と前記容器本体内とを連通させる下部弁体と、前記主シリンダから上方付勢状態で下方移動可能に立設されたプランジャ体と、内容物が吐出される吐出孔が形成された押下ヘッドと、前記押下ヘッドが装着された上部筒体、及び前記プランジャ体の上端部が内側に下方移動可能に収容され、前記プランジャ体の連通路を通して前記主シリンダ内に連通する下部筒体を有するとともに、前記上部筒体内と前記下部筒体内とを連通する連通孔が形成された副シリンダと、を備え、前記プランジャ体は、前記主シリンダ内に下方移動可能に嵌合された主ピストンと、前記下部筒体内に下方移動可能に嵌合された副ピストンと、前記連通孔を前記連通孔の下側から閉塞する上部弁体と、を備え、前記装着キャップは、前記副シリンダの前記下部筒体が下方移動可能に挿入された案内筒を備え、前記案内筒には、径方向の内側に向けて突出する係止突起が形成され、前記下部筒体は、前記案内筒内に挿入された挿入筒と、前記挿入筒の下端部から径方向の外側に向けて突出するとともに、前記係止突起の下面に係止される抜け止め部と、を備え、前記下部筒体の外周面には、前記抜け止め部の上面を回避して上下方向における前記下部筒体の上端部から下端部に至る縦リブが、周方向に間隔をあけて複数形成され、前記縦リブは、前記抜け止め部の外周面に形成され、前記案内筒のうち前記係止突起よりも下方に位置する部分に径方向で対向する下縦リブと、前記挿入筒の外周面に形成され、前記案内筒の前記係止突起に径方向で対向する上縦リブと、を備えている。
【０００９】
この構成によれば、副シリンダが案内筒の内周面に接触する場合には、副シリンダは縦リブを介して案内筒の内周面に接触することになる。そのため、下部筒体の外周面と案内筒の内周面との間に隙間を設けたとしても、案内筒内で副シリンダを安定して支持できる。これにより、案内筒内での副シリンダのがたつきを抑制できる。また、案内筒内での副シリンダのがたつきを抑制することで、副ピストンと下部筒体との間のシール性を確保でき、副ピストンと下部筒体との間の隙間を通した内容物の漏れを抑制できる。
特に、副シリンダが案内筒の内周面に縦リブを介して接触することで、下部筒体の外周面が案内筒の内周面に直接接触する場合に比べて、副シリンダと案内筒の内周面との接触面積を低減できる。これにより、副シリンダが案内筒に対して上下方向に移動する際の、副シリンダと案内筒との間の摺動抵抗を低減できる。したがって、副シリンダが仮に膨潤した場合であっても、案内筒に対する副シリンダの上下方向への移動をスムーズに行うことができる。その結果、副シリンダの操作性を長期に亘って維持できる。
【００１０】
本発明に係る蓄圧式吐出器において、前記副シリンダが最下端位置にあるとき、前記縦リブの全体が前記案内筒の内周面に径方向で対向していてもよい。
この構成によれば、副シリンダの最下端位置において、下部筒体の縦リブが全体に亘って案内筒の内周面に径方向で対向しているため、案内筒に対する副シリンダの上下方向の移動を全長に亘ってスムーズに行うことができる。
【発明の効果】
【００１１】
本発明に係る蓄圧式吐出器によれば、内容物の漏れを抑制した上で、副シリンダの操作性を長期に亘って維持できる。
【図面の簡単な説明】
【００１２】
【図１】実施形態に係る吐出容器の軸線方向に沿う断面図である。
【図２】実施形態に係る副シリンダを示す部分断面図である。
【図３】実施形態に係る吐出容器において、押下ヘッドが最下端位置にある状態を示す軸線方向に沿う断面図である。
【発明を実施するための形態】
【００１３】
以下、図面を参照し、本発明の実施形態を説明する。本実施形態では、容器本体に本発明の蓄圧式吐出器が取り付けられて構成された吐出容器を例にして説明する。
図１に示すように、本実施形態の吐出容器１は、内容物が収容される有底筒状の容器本体２と、容器本体２の口部２ａに着脱可能に装着された吐出器（蓄圧式吐出器）３と、を備えている。なお、本実施形態の容器本体２内に収容される内容物には、吐出器３を膨潤しうる成分が含有されている。但し、内容物は適宜変更が可能である。
【００１４】
吐出器３は、内容物を吐出する吐出孔１０が形成された押下ヘッド１１と、吐出孔１０に向けて内容物を供給するポンプ１２と、を有している。
ポンプ１２は、装着キャップ２１と、主シリンダ２２と、副シリンダ２３と、プランジャ体２４と、を主に備えている。
【００１５】
ここで、装着キャップ２１、主シリンダ２２、副シリンダ２３及びプランジャ体２４は、それぞれ筒状に形成されるとともに、それぞれの中心軸線が共通軸上に位置した状態で配設されている。以下では、この共通軸を軸線Ｏといい、軸線Ｏ方向（上下方向）に沿う吐出容器１の押下ヘッド１１側を上方、容器本体２側を下方という。また、軸線Ｏ方向から見た平面視で軸線Ｏに直交する方向を径方向といい、軸線Ｏ周りに周回する方向を周方向という。
【００１６】
装着キャップ２１のうち、容器本体２の口部２ａに装着された装着筒３１の上端部には、径方向の内側に向けて環板部３２が突設されている。環板部３２は、口部２ａの上端開口縁の全周に亘って軸線Ｏ方向で対向している。環板部３２の外周部分には、上方に向けて延びるキャップ筒３３が形成されている。キャップ筒３３には、図示しないオーバーキャップが外嵌される。キャップ筒３３は、装着筒３１よりも小径に形成されている。
環板部３２の内周縁には、上方に向けて延びる案内筒３４が形成されている。案内筒３４の上端部には、径方向の内側に向けて張り出す係止突起３８が案内筒３４の全周に亘って形成されている。係止突起３８の下面は、径方向の内側に向かうに従い上方に延びる平滑面とされている。なお、図１の例において、案内筒３４とキャップ筒３３は、軸線Ｏ方向で同等の長さに形成されている。
【００１７】
主シリンダ２２は、装着キャップ２１が容器本体２に装着された状態において、容器本体２内に配置される。主シリンダ２２は、シリンダ筒３５と、シリンダ筒３５の上端縁から径方向の外側に突設された取付フランジ３６と、を有している。
取付フランジ３６は、取付フランジ３６と口部２ａの上端開口縁との間にパッキンを挟んだ状態で、口部２ａの上端開口縁と上述した環板部３２とに軸線Ｏ方向で挟持されている。
【００１８】
シリンダ筒３５は、基筒部４１と、弁座部４２と、連結筒部４３と、を有している。
基筒部４１は、下方に位置するものほど縮径された多段筒状に形成されている。基筒部４１内には、軸線Ｏ方向に延びる棒材４５が収容されている。棒材４５は、基筒部４１の内径よりも小径に形成されている。棒材４５の下端部には、径方向に突出するリブ４６が周方向に間隔をあけて形成されている。各リブ４６は、基筒部４１内の下端部に嵌合されている。
【００１９】
弁座部４２は、基筒部４１の下端から下方に向かうに従い漸次縮径している。弁座部４２内には、下部弁体５１が弁座部４２の内周面に接離可能に収容されている。下部弁体５１は、球状に形成されている。下部弁体５１は、主シリンダ２２内の圧力に応じて主シリンダ２２内と容器本体２内との連通及び遮断を切り替える。
連結筒部４３は、弁座部４２の下端から下方に向けて延設されている。連結筒部４３内には、吸上筒５５の上端部が下方から嵌合されている。
【００２０】
プランジャ体２４は、軸線Ｏと同軸上に配置された第１プランジャ６１及び第２プランジャ６２を有している。
第１プランジャ６１は、有頂筒状に形成されている。第１プランジャ６１は、下部が主シリンダ２２内に収容された状態で、主シリンダ２２内から上方に突出している。第１プランジャ６１の筒部は、下方に位置するものほど拡径された多段筒状に形成されている。第１プランジャ６１の筒部は、主シリンダ２２内において上述した棒材４５に外挿されている。第１プランジャ６１は、主シリンダ２２及び棒材４５に対して軸線Ｏ方向に移動可能とされている。
【００２１】
第１プランジャ６１における筒部の上端部には、第１プランジャ６１の内外を連通する貫通孔６３が形成されている。貫通孔６３は、第１プランジャ６１の筒部を径方向に貫通している。
第１プランジャ６１における筒部の下端部には、主ピストン６５が連設されている。主ピストン６５は、下方に向かうに従い径方向の外側に延在している。主ピストン６５は、主シリンダ２２における基筒部４１の内周面に軸線Ｏ方向に摺動可能に嵌合されている。主シリンダ２２内において、上述したリブ４６と第１プランジャ６１との間には、第１プランジャ６１を上方に付勢する付勢部材６６が介在している。これにより、プランジャ体２４は、主シリンダ２２に対して上方付勢状態で下方移動可能に構成されている。
【００２２】
第１プランジャ６１の頂部には、上方に突出する上部弁体７１が連設されている。上部弁体７１は、上方に向かうに従い漸次縮径する三角錐形状に形成されている。第１プランジャ６１の外周面（筒部から頂部に至る部分）には、上述した貫通孔６３と副シリンダ２３内とを連通させる連通溝７０が形成されている。連通溝７０は、径方向の内側に窪むとともに、軸線Ｏ方向に延在している。連通溝７０の下端部は、上述した貫通孔６３に連通している。連通溝７０の上端部は、上部弁体７１の下端まで到達している。
【００２３】
第２プランジャ６２は、筒状に形成されている。第２プランジャ６２は、第１プランジャ６１の上部（上述した貫通孔６３よりも下方に位置する部分）に第１プランジャ６１に対して軸線Ｏ方向に相対移動可能に外嵌されている。第２プランジャ６２の上端部には、径方向の外側に張り出す副ピストン７２が連設されている。副ピストン７２は、軸線Ｏ方向の両側に向かうに従い漸次拡径する筒状に形成されている。なお、図示の例において、副ピストン７２は上述した上部弁体７１よりも下方に位置している。
【００２４】
副シリンダ２３は、有頂筒状に形成されている。副シリンダ２３は、下部筒体７４と、下部筒体７４を閉塞する閉塞板７５と、閉塞板７５から立設された上部筒体７６と、を備えている。
下部筒体７４は、挿入筒８１と、挿入筒８１の下端部に連なる抜け止め部８２と、を有している。
挿入筒８１は、上部が案内筒３４から上方に突出した状態で、案内筒３４内に軸線Ｏ方向に移動可能に挿入されている。なお、挿入筒８１の外周面は、軸線Ｏ方向の全体に亘って直線状に延在している（外径が全体に亘って一様である）。
【００２５】
抜け止め部８２は、外径が挿入筒８１の外径よりも大きい筒状に形成されている。抜け止め部８２は、上述した案内筒３４の係止突起３８に下方から係止可能に構成されている。これにより、副シリンダ２３の上方移動が規制されている。なお、抜け止め部８２の上面は、径方向の内側に向かうに従い上方に延びる平滑面になっている。したがって、図１に示す押下ヘッド１１の最上端位置において、抜け止め部８２の上面は、係止突起３８の下面に密接している。また、抜け止め部８２の外周面は、軸線Ｏ方向の全体に亘って直線状に延在している（外径が全体に亘って一様である）。
【００２６】
閉塞板７５は、下部筒体７４の内周面のうち上端縁よりも下方に位置する部分に配設されている。閉塞板７５における径方向の中央部には、閉塞板７５を軸線Ｏ方向に貫通する連通孔８５が形成されている。連通孔８５は、副シリンダ２３内（下部筒体７４内）と吐出孔１０とを連通している。連通孔８５の下端開口縁には、上述した上部弁体７１が接離可能に当接している。すなわち、上部弁体７１は、副シリンダ２３内の圧力に応じて連通孔８５を通した副シリンダ２３内と吐出孔１０との連通及び遮断を切り替える。
【００２７】
上部筒体７６は、閉塞板７５のうち連通孔８５よりも径方向の外側に位置する部分から上方に向けて突設されている。上部筒体７６の上端縁は、下部筒体７４の上端縁よりも上方に突出している。
【００２８】
押下ヘッド１１は、有頂筒状に形成されている。押下ヘッド１１の天壁部のうち、径方向の中央部には、嵌合筒８７が下方に向けて延設されている。嵌合筒８７は、上述した上部筒体７６に外嵌されている。
押下ヘッド１１の周壁部のうち、周方向の一部には、径方向の外側に向けて開口する吐出孔１０が形成されている。吐出孔１０は、上述した嵌合筒８７内を通して連通孔８５に連通している。
【００２９】
ここで、図２に示すように、上述した副シリンダ２３における下部筒体７４の外周面には、径方向の外側に突出するとともに、軸線Ｏ方向に延びる縦リブ９１が形成されている。縦リブ９１は、軸線Ｏ方向において下部筒体７４の上端部から下端部に至るほぼ全長に亘って直線状に形成されている。図１の例において、縦リブ９１は、下部筒体７４の外周面のうち、挿入筒８１の上端及び抜け止め部８２の上面以外の部分の全体に形成されている。但し、縦リブ９１は、挿入筒８１の上端及び抜け止め部８２を含む下部筒体７４の全長に亘って形成されていても構わない。
【００３０】
縦リブ９１のうち、抜け止め部８２の外周面に位置する部分（以下、下縦リブ９２という。）は、下端縁が抜け止め部８２の下端面と面一に配置されている。下縦リブ９２の上端縁は、径方向から見た正面視及び軸線Ｏ方向に沿う縦断面視において、上方に向けて突の曲面状をなしている。したがって、下縦リブ９２の上端縁は、段差を介して抜け止め部８２の外周面に連なっている。
縦リブ９１のうち、挿入筒８１の外周面に位置する部分（以下、上縦リブ９３という。）は、下縦リブ９２と周方向で同等の位置に、周方向で同等の幅に形成されている。上縦リブ９３の下端縁は、抜け止め部８２の上面に連なっている。したがって、上縦リブ９３と下縦リブ９２とは、抜け止め部８２の上面を挟んで離間している。上縦リブ９３の上端縁は、径方向から見た正面視及び軸線Ｏ方向に沿う縦断面視において、上方に向けて突の曲面状をなしている。したがって、上縦リブ９３の上端縁は、段差を介して挿入筒８１の外周面に連なっている。
【００３１】
上述した縦リブ９１は、下部筒体７４の外周面に周方向に間隔をあけて形成されている。各縦リブ９１のうち、案内筒３４内に位置する部分は、案内筒３４の内周面に近接又は当接している。したがって、下部筒体７４のうち挿入筒８１及び抜け止め部８２の外周面（挿入筒８１及び抜け止め部８２のうち、縦リブ９１が形成されていない部分）は、案内筒３４の内周面から径方向に離間している。なお、各縦リブ９１における周方向の幅は、下部筒体７４のうち周方向で隣り合う縦リブ９１同士の間の隙間よりも小さくなっている。
【００３２】
次に、上述した吐出容器１の作用について説明する。
図１に示す吐出容器１において、内容物を吐出させるには、まず押下ヘッド１１を押し下げる。すると、図３に示すように、副シリンダ２３、プランジャ体２４が押下ヘッド１１とともに押し下げられる。なお、押下ヘッド１１の最下端位置において、副シリンダ２３における下部筒体７４の下端縁は、案内筒３４内において上述した取付フランジ３６に上方から近接又は当接している。このとき、下部筒体７４の縦リブ９１は、軸線Ｏ方向の全体が案内筒３４の内周面に径方向で対向している。
【００３３】
プランジャ体２４が押し下げられる過程において、主ピストン６５がシリンダ筒３５（基筒部４１）の内周面上を摺動することで、主シリンダ２２内（基筒部４１と第１プランジャ６１とで画成された空間）が加圧される。これにより、主シリンダ２２内の内容物が第１プランジャ６１と棒材４５との隙間を通して第１プランジャ６１内に流入する。第１プランジャ６１内に流入した内容物は、第１プランジャ６１の貫通孔６３を通して第１プランジャ６１の外部に流出する。
【００３４】
第１プランジャ６１の外部に流出した内容物は、第１プランジャ６１の連通溝７０内を上方に流通し、副シリンダ２３内（副シリンダ２３とプランジャ体２４とで画成された部分）に流入する。これにより、副シリンダ２３内が加圧（蓄圧）される。このように、主シリンダ２２内の内容物は、第１プランジャ６１と棒材４５との間や貫通孔６３、連通溝７０を通って副シリンダ２３（下部筒体７４）内に流入する。したがって、第１プランジャ６１と棒材４５との間や貫通孔６３、連通溝７０は、主シリンダ２２内から副シリンダ２３（下部筒体７４）内に向けて内容物が流通する連通路Ｒを構成している。
【００３５】
そして、副シリンダ２３内が蓄圧され、副シリンダ２３内の圧力が付勢部材６６の付勢力よりも高くなると、第１プランジャ６１が第２プランジャ６２及び副シリンダ２３に対して下降する。すると、上部弁体７１が連通孔８５の下端開口縁から下方に離間することで、連通孔８５が開放される。これにより、連通孔８５を通して副シリンダ２３の内外が連通することで、連通孔８５を通して内容物が押下ヘッド１１の嵌合筒８７内に流入する。嵌合筒８７内に流入した内容物は、押下ヘッド１１内を吐出孔１０まで流通し、吐出孔１０を通して外部に吐出される。
【００３６】
なお、内容物の吐出に伴い、副シリンダ２３内の圧力が付勢部材６６の付勢力を下回ると、第１プランジャ６１が第２プランジャ６２及び副シリンダ２３に対して上昇する。すると、上部弁体７１が連通孔８５の下端開口縁に下方から当接することで、連通孔８５が閉塞される。
【００３７】
押下ヘッド１１の押し下げを解除すると、付勢部材６６の上方付勢力によってプランジャ体２４が副シリンダ２３及び押下ヘッド１１とともに押し上げられる。プランジャ体２４が押し上げられる過程において、主ピストン６５が基筒部４１の内周面上を摺動することで、主シリンダ２２内が減圧される。すると、下部弁体５１が弁座部４２の内周面から上方に離間することで、吸上筒５５を通して主シリンダ２２内と容器本体２内とが連通する。これにより、容器本体２内の内容物が吸上筒５５を通して主シリンダ２２内に流入する。なお、主シリンダ２２内の圧力が容器本体２内の圧力以上になると、下部弁体５１が弁座部４２に着座する。その結果、図１に示す状態に復帰する。
【００３８】
ここで、本実施形態では、下部筒体７４の外周面に縦リブ９１が形成されている構成とした。
この構成によれば、副シリンダ２３が案内筒３４の内周面に接触する場合には、副シリンダ２３は縦リブ９１を介して案内筒３４の内周面に接触することになる。そのため、下部筒体７４の外周面と案内筒３４の内周面との間に隙間を設けたとしても、案内筒３４内で副シリンダ２３を安定して支持できる。これにより、案内筒３４内での副シリンダ２３のがたつきを抑制できる。また、案内筒３４内での副シリンダ２３のがたつきを抑制することで、副ピストン７２と下部筒体７４との間のシール性を確保でき、副ピストン７２と下部筒体７４との間の隙間を通した内容物の漏れを抑制できる。
特に、本実施形態では、副シリンダ２３が案内筒３４の内周面に縦リブ９１を介して接触することで、下部筒体７４の外周面が案内筒３４の内周面に直接接触する場合に比べて、副シリンダ２３と案内筒３４の内周面との接触面積を低減できる。これにより、副シリンダ２３が案内筒３４に対して軸線Ｏ方向に移動する際の、副シリンダ２３と案内筒３４との間の摺動抵抗を低減できる。したがって、副シリンダ２３が仮に膨潤した場合であっても、案内筒３４に対する副シリンダ２３の軸線Ｏ方向への移動をスムーズに行うことができる。その結果、副シリンダ２３の操作性を長期に亘って維持できる。
【００３９】
本実施形態では、押下ヘッド１１の最下端位置において、縦リブ９１の全体が案内筒３４の内周面に径方向で対向している。そのため、案内筒３４に対する副シリンダ２３の軸線Ｏ方向の移動を全長に亘ってスムーズに行うことができる。
【００４０】
以上、本発明の実施形態について図面を参照して詳述したが、具体的な構成はこの実施形態に限られるものではなく、本発明の要旨を逸脱しない範囲の設計変更等も含まれる。すなわち、本発明の趣旨を逸脱しない範囲で、上述した実施形態における構成要素を周知の構成要素に置き換えることは適宜可能である。
【符号の説明】
【００４１】
１…吐出容器
２…容器本体
２ａ…口部
３…吐出器（蓄圧式吐出器）
１０…吐出孔
１１…押下ヘッド
２１…装着キャップ
２２…主シリンダ
２３…副シリンダ
２４…プランジャ体
３４…案内筒
３８…係止突起
５１…下部弁体
６５…主ピストン
７１…上部弁体
７２…副ピストン
７４…下部筒体
７６…上部筒体
８２…抜け止め部
８５…連通孔
９１…縦リブ
【図１】
0006670678.tif 000002
【図２】
0006670678.tif 000003
【図３】
0006670678.tif 000004